(57)【要約】【課題】  合理的に構成された信頼性の高い複合型のスイッチ装置を得ること。【解決手段】  プッシュボタン式の可動部２１１を有する第１スイッチ素子２１０と、スライド式の可動部２２１を有する第２スイッチ素子２２０と、基板３００と、操作子４００と、操作子４００の装着部５００が設けられたケース部材３１とを備え、操作子４００は、軸部４１０と、円筒部４２０と、一対の突片４３０と、フック片４４０とを備え、装着部５００は、開口部５１０と、ボス部５２０と、連結部５３０と、溝部５４０とを備え、操作子４００を押圧する際は、円筒部４２０の端部が連結部５３０に当接することにより操作子４００の押圧方向の移動量が規制され、操作子４００を回転する際は、フック片４４０が連結部５３０に当接することにより操作子４００の回転量が規制されるようにした。【選択図】図１
2014212043.tif 000002
【特許請求の範囲】
【請求項１】
プッシュボタン式の可動部を有する第１スイッチ素子と、スライド式の可動部を有する第２スイッチ素子と、前記第１スイッチ素子及び前記第２スイッチ素子を搭載した基板と、前記第１スイッチ素子の可動部及び前記第２スイッチ素子の可動部を操作する操作子と、前記基板を外部から覆うとともに前記操作子の装着部が設けられたケース部材とを備え、
前記操作子は、その先端が前記第１スイッチ素子の可動部と当接する軸部と、前記軸部を囲む円筒部と、前記第２スイッチ素子の可動部を挟む一対の突片と、前記ケース部材の内側の面に係止されるフック片とを備え、
前記一対の突片及び前記フック片は、前記円筒部の端部に設けられており、
前記装着部は、前記円筒部を挿通する開口部と、前記軸部を挿通するボス部と、前記ボス部を前記開口部の中央に支える連結部と、前記一対の突片及び前記フック片を挿通する溝部とを備え、
前記第１スイッチ素子の可動部は、前記操作子を押圧すると前記軸部に押されて操作され、前記第２スイッチ素子の可動部は、前記軸部を中心に前記操作子を回転すると前記突片に押されて操作され、
前記操作子を押圧する際は、前記円筒部の端部が前記連結部に当接することにより前記操作子の押圧方向の移動量が規制され、
前記操作子を回転する際は、前記フック片が前記連結部に当接することにより前記操作子の回転量が規制されるようにしたことを特徴とするスイッチ装置。
【発明の詳細な説明】
【技術分野】
【０００１】
本発明は、複合型のスイッチ装置に関する。
【背景技術】
【０００２】
スイッチ装置としては、特許文献１乃至９などにも開示されているように、操作子の操作の仕方によって異なる入力が可能となるように構成された複合型のものが知られている。
【先行技術文献】
【特許文献】
【０００３】
【特許文献１】特開平９−２２６４２号公報
【特許文献２】特開２００２−６３８３５号公報
【特許文献３】特開２０１０−２５１０２８号公報
【特許文献４】特開２０１１−３３２４号公報
【特許文献５】特開２０１２−１７４３５１号公報
【特許文献６】特許第２９０６５１０号公報
【特許文献７】特許第２９２４６５１号公報
【特許文献８】特許第３７２７７４５号公報
【特許文献９】特許第４１０５４３２号公報
【発明の概要】
【発明が解決しようとする課題】
【０００４】
電子装置の入力手段として利用されるスイッチ装置は、操作性、耐久性、及び製造性の向上が求められており、特に複合型のものは、操作の仕方が単純なものと比較すると構造が複雑化するため、その設計においては、このような課題を十分に検討する必要がある。
【０００５】
スイッチ装置の構成部品として利用される電子素子としては、プッシュボタン式の可動部を有するスイッチ素子や、スライド式の可動部を有するスイッチ素子が知られている。これらのスイッチ素子を利用することによれば、スイッチ装置の利用目的に応じて接点構造を新規に設計するよりも、信頼性の確保が容易となる利点がある。本願発明者は、複数種のスイッチ素子を組合わせて複合型のスイッチ装置を構成するべく鋭意検討し、その結果として本発明を達成した次第である。
【０００６】
本発明は、かかる事情に鑑みてなされたものであり、その目的は、合理的に構成された信頼性の高い複合型のスイッチ装置を提供することである。
【課題を解決するための手段】
【０００７】
本願第１請求項に記載した発明は、プッシュボタン式の可動部（２１１）を有する第１スイッチ素子（２１０）と、スライド式の可動部（２２１）を有する第２スイッチ素子（２２０）と、前記第１スイッチ素子（２１０）及び前記第２スイッチ素子（２２０）を搭載した基板（３００）と、前記第１スイッチ素子（２１０）の可動部（２１１）及び前記第２スイッチ素子（２２０）の可動部（２１０）を操作する操作子（４００）と、前記基板（３００）を外部から覆うとともに前記操作子（４００）の装着部（５００）が設けられたケース部材（３１）とを備え、前記操作子（４００）は、その先端が前記第１スイッチ素子（２１０）の可動部（２１１）と当接する軸部（４１０）と、前記軸部（４１０）を囲む円筒部（４２０）と、前記第２スイッチ素子（２２０）の可動部（２２１）を挟む一対の突片（４３０）と、前記ケース部材（３１）の内側の面に係止されるフック片（４４０）とを備え、前記一対の突片（４３０）及び前記フック片（４４０）は、前記円筒部（４２０）の端部に設けられており、前記装着部（５００）は、前記円筒部（４２０）を挿通する開口部（５１０）と、前記軸部（４１０）を挿通するボス部（５２０）と、前記ボス部（５２０）を前記開口部（５１０）の中央に支える連結部（５３０）と、前記一対の突片（４３０）及び前記フック片（４４０）を挿通する溝部（５４０）とを備え、前記第１スイッチ素子（２１０）の可動部（２１１）は、前記操作子（４００）を押圧すると前記軸部（４１０）に押されて操作され、前記第２スイッチ素子（２２０）の可動部（２２１）は、前記軸部（４１０）を中心に前記操作子（４００）を回転すると前記突片（４３０）に押されて操作され、前記操作子（４００）を押圧する際は、前記円筒部（４２０）の端部が前記連結部（５３０）に当接することにより前記操作子（４００）の押圧方向の移動量が規制され、前記操作子（４００）を回転する際は、前記フック片（４４０）が前記連結部（５３０）に当接することにより前記操作子（４００）の回転量が規制されるようにした構成のスイッチ装置（１００）である。
【発明の効果】
【０００８】
本発明によれば、合理的に構成された信頼性の高い複合型のスイッチ装置を得ることができる。
【図面の簡単な説明】
【０００９】
【図１】本発明の実施例に係り、送風機の分解斜視図（正面右斜め上）である。
【図２】本発明の実施例に係り、送風機の要部を示す斜視図（正面右斜め上）である。
【図３】本発明の実施例に係り、正面側のケース部材及び操作子を示す斜視図（正面右斜め上）である。
【図４】本発明の実施例に係り、正面側のケース部材及び操作子を示す分解斜視図（正面右斜め上）である。
【図５】本発明の実施例に係り、スイッチ装置を示す側面断面図である。
【図６】本発明の実施例に係り、（ａ）は操作子を示す正面図、（ｂ）は操作子を示す側面図、（ｃ）は操作子を示す背面図、（ｄ）は操作子を示す下面図である。
【図７】本発明の実施例に係り、（ａ）は装着部を示す正面図、（ｂ）は装着部を示す背面図である。
【図８】本発明の実施例に係り、基板及び操作子を示す分解斜視図（正面右斜め上）である。
【図９】本発明の実施例に係り、基板及び操作子を示す分解斜視図（正面左斜め上）である。
【発明を実施するための形態】
【００１０】
以下に、本発明の実施例を図面に基づいて説明する。図１は本例のスイッチ装置１００を設けた送風機１を示す分解斜視図である。この送風機１は、モータの動力でインペラ４０を駆動するインペラ駆動機構４１を支持体２０に設け、その支持体２０を台座１０に対して移動可能に設けてなるものである。台座１０の内部には、別途モータの動力で支持体２０を駆動する支持体駆動機構５０が設けられている。いわゆる首振り機構である。支持体２０には、正面側のケース部材３１及び背面側のケース部材３２が装着され、さらにその背部には所要の格子状のガード３３が装着されている。図例した送風機１は、パソコンのＵＳＢを電源として駆動する小型のものである。また、軸流方向に回転軸中心をそろえて複数のインペラ４０を配置してなる軸流型二重反転式送風機である。
【００１１】
本例のスイッチ装置１００は、図２乃至図９に示すように、プッシュボタン式の可動部２１１を有する第１スイッチ素子２１０と、スライド式の可動部２２１を有する第２スイッチ素子２２０と、第１スイッチ素子２１０及び第２スイッチ素子２２０を搭載した基板３００と、第１スイッチ素子２１０の可動部２１１及び第２スイッチ素子２２０の可動部２２１を操作する操作子４００と、基板３００を外部から覆うとともに操作子４００の装着部５００が設けられたケース部材とを備えている。基板３００は支持体２０に設けられており、ケース部材は前述した正面側のケース部材３１である。
【００１２】
操作子４００は、その先端が第１スイッチ素子２１０の可動部２１１と当接する軸部４１０と、軸部４１０を囲む円筒部４２０と、第２スイッチ素子２２０の可動部２２１を挟む一対の突片４３０と、ケース部材３１の内側の面に係止されるフック片４４０とを備えている。一対の突片４３０及びフック片４４０は、円筒部４２０の端部に設けられている。この操作子４００は、基板３００を設けた支持体２０に正面側のケース部材３１を装着し、その後にケース部材３１の外側から装着部５００に装着される。すなわち、組付けが容易なものとなっている。
【００１３】
装着部５００は、円筒部４２０を挿通する開口部５１０と、軸部４１０を挿通するボス部５２０と、ボス部５２０を開口部５１０の中央に支える連結部５３０と、一対の突片４３０及びフック片４４０を挿通する溝部５４０とを備えている。溝部５４０は、ボス部５２０を中心とする円弧状のものである。正面側のケース部材３１は、樹脂製の射出成形部材であり、装着部５００は、その射出成形時に一体成形されている。
【００１４】
第１スイッチ素子２１０の可動部２１１は、操作子４００を押圧すると軸部４１０に押されて操作される。また、第２スイッチ素子２２０の可動部２２１は、軸部４１０を中心に操作子４００を回転すると突片４３０に押されて操作される。
【００１５】
操作子４００を押圧する際は、円筒部４２０の端部が連結部５３０に当接することにより操作子４００の押圧方向の移動量が規制される。また、操作子４００を回転する際は、フック片４４０が連結部５３０に当接することにより操作子４００の回転量が規制される。すなわち、本例の装着部５００は、操作子４００を押圧可能且つ回転可能に装着するとともに、各スイッチ素子２１０，２２０の可動部２１１，２２１に不要な負荷がかかることがないように工夫されている。
【００１６】
特に限定はしないが、本例の場合、送風時に第１スイッチ素子２１０の可動部２１１を操作すると、支持体駆動機構５０の電源のＯＮ／ＯＦＦが切換わり、台座１０に対して支持体２０が駆動又は停止する構成となっている。また、第２スイッチ素子２２０の可動部２２１を操作すると、インペラ駆動機構４１の電源のＯＮ／ＯＦＦが切換わり、送風又は送風停止する構成となっている。尚、第２スイッチ素子２２０は、可動部２２１の切換え位置が３個所以上の多段式のものであれば、インペラ駆動機構４１の電源のＯＮ／ＯＦＦのみならず、可動部２２１の切換え位置に応じてインペラ駆動機構４１を駆動する電圧を変更するように構成することも可能である。つまり、送風量を調節することができる。図例したものは、送風時の送風量を２段階で調節することができるものである。
【００１７】
本例のスイッチ装置１００は、プッシュボタン式の可動部２１１を有する第１スイッチ素子２１０と、スライド式の可動部２２１を有する第２スイッチ素子２２０とを利用してなるものである。故に、接点構造の信頼性の確保が容易となる利点がある。また、操作子４００及び装着部５００について構造的工夫を施すことにより、その操作性、耐久性、及び製造性に優れたものとなっている。
【００１８】
以上説明したように、本例のスイッチ装置は、複数のスイッチ素子を操作する複合型のスイッチ装置として極めて合理的に構成されたものである。尚、本例における各部の構成は、特許請求の範囲に記載した技術的範囲において適宜に設計変更が可能であり、図例説明したものに限定されないことは勿論である。本例のスイッチ装置の構成は、送風機のみならず、その他各種の電子装置に応用することが可能である。
【産業上の利用可能性】
【００１９】
本発明のスイッチ装置は、電子装置の入力手段として好適に利用することが可能である。
【符号の説明】
【００２０】
１    送風機
１０    台座
２０    支持体
３１  正面側のケース部材
３２  背面側のケース部材
３３  ガード
４０  インペラ
４１  インペラ駆動機構
５０    支持体駆動機構
１００    スイッチ装置
２１０    第１スイッチ素子（プッシュボタン式）
２１１    可動部
２２０    第２スイッチ素子（スライド式）
２２１    可動部
３００    基板
４００    操作子
４１０    軸部
４２０    円筒部
４３０    突片
４４０    フック片
５００    装着部
５１０    開口部
５２０    ボス部
５３０    連結部
５４０    溝部
【図１】
2014212043.tif 000003
【図２】
2014212043.tif 000004
【図３】
2014212043.tif 000005
【図４】
2014212043.tif 000006
【図５】
2014212043.tif 000007
【図６】
2014212043.tif 000008
【図７】
2014212043.tif 000009
【図８】
2014212043.tif 000010
【図９】
2014212043.tif 000011